(57)【要約】【課題】楽器を吊下げるための簡易構造を有する市販のストラップに、後付で、左右の間隔を保持する保持具を取付けることができる楽器ストラップ間隔保持具を提供する。【解決手段】この楽器ストラップ間隔保持具は、本体１９の左右端部に形成される係止用切込み部２１へ、ストラップ１の左右の平行部７を挿入して係止する。また、本体１９の中央部に設けられる開閉式の閉鎖形状部分２９を開いて、ストラップ１の左右の平行部７を通し、閉鎖形状部分２９を閉じ、左右の平行部７を一つにまとめる。まとめることで、調整具１３に無理な力が加わらず、長さを容易に調整できる。【選択図】図１
0003157485.tif 000002
【実用新案登録請求の範囲】
【請求項１】
逆Ｕ字状の首掛け部分と、この首掛け部分の両下端に連続する平行部と、これら平行部を重ねた状態の部分の長さを調整する調整具と、この調整具の下方に設けられて楽器を吊下げる吊下げ具と、を有する楽器のストラップに用いられて、前記平行部の左右の間隔を保持し頸が締付けられるのを緩和する間隔保持具であって、本体と、この本体の左右端部に形成され前記平行部に係止する係止用切込み部と、前記本体の中央部に設けられ２つの前記平行部を通して一つにまとめる開閉式の閉鎖形状部分と、を有することを特徴とする楽器ストラップ間隔保持具。
【請求項２】
前記平行部は、ベルト状をなし、前記本体は、左右に長い板状をなし、前記係止用切込み部は、前記平行部を通すためのＬ字形状を有して、２つ設けられ、前記Ｌ字形状のうちベルト状の前記平行部が係止される辺部を並列にして配置され、前記開閉式の閉鎖形状部分は、カラビナ型の金具であることを特徴とする請求項１に記載の楽器ストラップ間隔保持具。 
【考案の詳細な説明】
【技術分野】
【０００１】
この考案は、楽器を頸に吊下げるためのストラップに関し、特に、ストラップの左右の間隔を保持し頸が締付けられるのを緩和する間隔保持具の構造に関する。
【背景技術】
【０００２】
サックスなどの重量のある楽器は、ベルト状のストラップを用いて、演奏者の頸に吊下げる。そして、図４（特許文献１に示される）のように、ストラップ１０１の左右の間隔を保持して、頸が締付けられるのを緩和する保持具１０３が用いられる。この保持具１０３は、棒状の両端に小さなリング１０５が固定され、この小さなリング１０５の中に、ストラップ１０１の左右の平行部１０７を通している。
【０００３】
この小さなリング１０５を通った左右の平行部１０７は、さらに、大きなリング１０９に連結され一つにまとめられる。この大きなリング１０９から下のベルト状の重ねた状態の部分１１１には、長さを調整する調整具１１３が設けられ、演奏者の好みにより楽器の上下位置が調整できる。
【先行技術文献】
【特許文献】
【０００４】
【特許文献１】特開２００８−３０４９３６
【考案の概要】
【考案が解決しようとする課題】
【０００５】
しかしながら、図４のストラップは、大きなリングの上下で、ベルト状の部品が別部品となり、構造を複雑にしている。
また、保持具や大きなリングは、あらかじめストラップに一体化されている。このためこのような保持具や大きなリングを有さない簡易構造を有する市販のストラップに、後付で、左右の間隔を保持する保持具を取付けることができない。よって、不経済である。
この考案は、以上の問題点を解決するために、簡易構造を有する市販のストラップに、後付で、左右の間隔を保持する保持具を取付けることができる楽器ストラップ間隔保持具を提供することを目的とする。
【課題を解決するための手段】
【０００６】
以上の課題を解決するために、第一考案は、逆Ｕ字状の首掛け部分と、この首掛け部分の両下端に連続する平行部と、これら平行部を重ねた状態の部分の長さを調整する調整具と、この調整具の下方に設けられて楽器を吊下げる吊下げ具と、を有する楽器のストラップに用いられて、前記平行部の左右の間隔を保持し頸が締付けられるのを緩和する間隔保持具であって、本体と、この本体の左右端部に形成され前記平行部に係止する係止用切込み部と、前記本体の中央部に設けられ２つの前記平行部を通して一つにまとめる開閉式の閉鎖形状部分と、を有することを特徴とする楽器ストラップ間隔保持具である。
【０００７】
第二考案は、前記平行部は、ベルト状をなし、前記本体は、左右に長い板状をなし、前記係止用切込み部は、前記平行部を通すためのＬ字形状を有して、２つ設けられ、前記Ｌ字形状のうちベルト状の前記平行部が係止される辺部を並列にして配置され、前記開閉式の閉鎖形状部分は、カラビナ型の金具であることを特徴とする楽器ストラップ間隔保持具である。
【考案の効果】
【０００８】
第一、又は第二考案によれば、本体の左右端部に形成される係止用切込み部へ、ストラップの左右の平行部を挿入して係止する。また、本体の中央部に設けられる開閉式の閉鎖形状部分を開いて、ストラップの左右の平行部を通し、閉鎖形状部分を閉じ、左右の平行部を一つにまとめる。まとめることで、調整具に無理な力が加わらず、長さを容易に調整できる。よって、簡易構造を有する市販のストラップに、後付で、左右の間隔を保持する保持具を取付けることができる。
【０００９】
さらに、第二考案によれば、ストラップの左右の平行部を、係止用切込み部の並列に配置された辺部へ、波状に係止でき、しっかりと係止できる。また、開閉式の閉鎖形状部分をカラビナ型の金具とすることで、装置のコストを抑えることができる。
【図面の簡単な説明】
【００１０】
【図１】（Ａ）この考案の第一実施形態を使用状態で示す全体図、（Ｂ）は（Ａ）のＢ部拡大図、（Ｃ）は（Ａ）のＣ部拡大図である。
【図２】この考案の第二実施形態を使用状態で示す全体図である。
【図３】図２の間隔保持具を示す拡大図である。
【図４】従来例を示すストラップの全体図である。
【考案を実施するための形態】
【００１１】
［第一実施形態］
この考案の第一実施形態を、図１に示す。すなわち、簡易構造を有する市販のストラップ１に、本実施形態の間隔保持具３を後付で取付けた使用状態を示す。
同図（Ａ）に示すように、この市販のストラップ１は、逆Ｕ字状の首掛け部分５は、ベルト状を有する。この首掛け部分５の両下端に、ベルト状を有する左右の平行部７が連続する。これら左右の平行部７は、互いに重ねられた状態になって、下端の折返し位置９から折り返され、この折返された部分１１が調整具１３によって把持される。調整具１３の位置を移動することで折返された部分１１の長さが調整され、よって、演奏者の好みにより楽器１５の上下位置が調整できる。先端の折返し位置９には、フック状の吊下げ具１７が設けられて、楽器１５を吊下げる。
【００１２】
しかし、サックスなどの楽器１５は、重量があり、左右の平行部７によって、演奏者の頸が締付けられる。そこで、本実施形態の間隔保持具３を後付で取付ける。
すなわち、間隔保持具３は、本体１９が、左右に長い板状をなす。そして、同図（Ｂ）に示すように、本体１９の左右端部に係止用切込み部２１が形成される。これらの係止用切込み部２１が、ストラップ１の左右の平行部７に係止する。係止用切込み部２１は、平行部７を通すためのＬ字形状を有する。Ｌ字形状の始端２３は、本体１９の上辺に直角に切り込むことで、平行部７を挿入するための切込み辺部２５を形成する。切込み辺部２５に直角に連続して、平行部７を最終的に係止する係止辺部２７が形成される。
【００１３】
本体１９の中央部に開閉式の閉鎖形状部分２９が設けられる。同図（Ｃ）に示すように、この開閉式の閉鎖形状部分２９は、キーホルダー型の丸い金具３１であり、本体１９の孔３３に通されたリング３５に取付けられる。金具３１へ、複数のキーの孔を通して保持させるように、２つの平行部７を通して一つにまとめる。
【００１４】
「第一実施形態の作用効果」
以上の第一実施形態によれば、本体１９の左右端部に形成される係止用切込み部２１へ、ストラップ１の左右の平行部７を挿入して係止する。また、本体１９の中央部に設けられる開閉式の閉鎖形状部分２９を開いて、ストラップ１の左右の平行部７を通し、閉鎖形状部分２９を閉じ、左右の平行部７を一つにまとめる。まとめることで、調整具１３に無理な力が加わらず、ストラップ１の折返された部分１１の長さを容易に調整できる。よって、簡易構造を有する市販のストラップ１に、後付で、ストラップ１を分解などせずに、左右の間隔を保持する保持具３を取付けることができる。
【００１５】
［第二実施形態］
この考案の第二実施形態を、図２，図３に示す。第一実施形態に比べて、ストラップ１、係止用切込み部２１、および開閉式の閉鎖形状部分２９の形状などが異なる。
すなわち、簡易構造を有する市販のストラップ１に、本実施形態の間隔保持具３を後付で取付けた使用状態を示す。
図２に示すように、この市販のストラップ１は、逆Ｕ字状の首掛け部分５は、幅広で肉厚のベルト状を有する。この首掛け部分５の両下端に、幅が細く肉薄のベルト状を有する左右の平行部７が連続する。これら左右の平行部７は、互いに重ねられた状態になって、先端の折返し位置９から折り返され、この折返された部分１１が調整具１３によって把持される。調整具１３の位置を移動することで折返された部分１１の長さが調整され、よって、演奏者の好みにより楽器１５の上下位置が調整できる。先端の折返し部分には、吊下げ具１７が設けられて、楽器１５を吊下げる。
【００１６】
図３に示すように、間隔保持具３は、本体１９が、左右に長い板状をなすが、中央部分が浅いＶ字状に屈曲する。そして、本体１９の左右端部に係止用切込み部２１が形成される。これらの係止用切込み部２１が、ストラップ１の左右の平行部７に係止する。係止用切込み部２１は、平行部７を通すためのＬ字形状を有する。Ｌ字形状は２つ設けられる。Ｌ字形状の始端２３は、本体１９の上辺又は下辺に直角に切り込むことで、平行部７を挿入するための切込み辺部２５を形成する。切込み辺部２５に直角に連続して、平行部７を最終的に係止する係止辺部２７が形成される。２つの係止辺部２７は、互いに、概略並列になるように配置される。
【００１７】
本体１９の中央部に開閉式の閉鎖形状部分２９が設けられる。この開閉式の閉鎖形状部分２９は、カラビナ型の金具３７である。すなわち、Ｄ型をした金具３１で、Ｄ型の一辺には、バネによって開閉する開閉片３９が設けられる。
【００１８】
「第二実施形態の作用効果」
以上の第二実施形態によれば、第一実施形態の作用効果に加え、以下の作用効果を有する。
すなわち、ストラップ１の左右の平行部７を、係止用切込み部２１の並列に配置された係止辺部２７へ、波状に係止でき、しっかりと係止できる。また、開閉式の閉鎖形状部分２９をカラビナ型の金具３７とすることで、開閉動作が容易になり、ストラップ１の左右の平行部７を容易に一つにまとめることができる。また、装置のコストを抑えることができる。
【００１９】
「他の実施形態」
以上の実施形態では、開閉式の閉鎖形状部分２９は、キーホルダー型の丸い金具３１やＤ型を有するカラビナ型の金具３７であったが、開閉式であれば、形状は問われない。すなわち、四角形や三角形、さらには円筒状や円錐台型筒状であっても良い。
【００２０】
また、以上の実施形態では、係止用切込み部２１は、ストラップ１の平行部７を通すためのＬ字形状を有するものであったが、他の実施形態では、Ｌ字形状には限らず、他の形状、例えばＴ字形状でもよい。この場合に、Ｔ字形状の始端は、本体１９の上辺又は下辺に直角に切り込むことで、平行部７を挿入するための切込み辺部を形成する。この切込み辺部が、Ｔ字形状の中央の辺部となる。切込み辺部に直角に、左右に連続して、平行部７を最終的に係止する係止辺部が形成され、よってＴ字形状となる。
【符号の説明】
【００２１】
１…ストラップ、３…間隔保持具、５…首掛け部分、７…平行部、９…折返し位置、１１…折返しの部分、１３…調整具、１５…楽器、１７…吊下げ具、１９…本体、２１…係止用切込み部、２３…始端、２５…切込み辺部、２７…係止辺部、２９…閉鎖形状部分、３１…金具、３３…孔、３５…リング、３７…カラビナ型の金具、１０１…ストラップ、１０３…保持具、１０５…小さなリング、１０７…平行部、１０９…大きなリング、１１１…重ねた状態の部分、１１３…調整具。
【図４】
0003157485.tif 000003
【図１】
0003157485.tif 000004
【図２】
0003157485.tif 000005
【図３】
0003157485.tif 000006